Podtech/llm-jp-corpus-v4-ja_patent huggingface dataset:
(57)【要約】      （修正有）【課題】角タンクの中に円筒形のステンレス網フィルターを取り付け、大量の雨水を濾過する。【解決する手段】雨水と共に外からタンク１の中に流れ入る汚れや木の葉が、筒形のステンレス網フィルター３の外側に付くので角タンクのフタ７を取り簡単に掃除することができる。【選択図】    図１
0003101510.tif 000002
【実用新案登録請求の範囲】
【請求項１】
面積の広いステンレス網板を円筒形にし、大小問わないサイズのタンクの中に設置し大量の雨水を濾過することが出来る雨水濾過装置。
【考案の詳細な説明】
【０００１】
【考案に属する技術分野】
この実用新案は、円筒形ステンレス網フィルターを角タンクの中に設置し、角タンクに導き入れられた雨水を同フィルターで濾過する装置である。
【０００２】
【従来の技術】
従来の濾過装置は砂や石を入れたりした物であった。又は布や紙、あるいは科学製品で出来た物でした。
【０００３】
【考案が解決しようとする課題】
砂や石で出来た物は汚れた時に掃除するのが大変だった。又は使い捨てが多かった。
【０００４】
【考案が解決しようとする手段】
この考案は、雨水と共に外からタンク内に流れ入る汚れや木の葉が筒形ステンレス網フィルターの外側につくので角タンクのフタを取り簡単に掃除ができる。
これを
【図１】で説明すれば、角タンク▲１▼の中に設置されたステンレスフィルター▲３▼をとりつけてある。雨水取入口▲２▼から雨水を導入れてフィルター▲３▼で濾過した水を▲４▼から貯蔵タンクへ送ります。又ドレイ▲５▼のドレン抜きはフィルターを掃除する時あるいは初期雨水はよごれていますから、その初期雨水を抜くときに使用します。
オーバー・フード▲６▼は大雨時、濾過が間合ない場合等にオーバー・フードから溢れるようになっている。▲７▼は角タンクのフタです。
【図１】
0003101510.tif 000003
【手続補正書】
【提出日】平成15年11月14日(2003.11.14)
【手続補正３】
【補正対象書類名】明細書
【補正対象項目名】図面の簡単な説明
【補正方法】追加
【補正の内容】
【図面の簡単な説明】
【図１】本考案による雨水濾過装置の実施例を示す図である。
【符号の説明】
１  角タンク
２  雨水取入口
３  ステンレス網フィルター
４  流出ノズル
５  ドレンノズル
６  オーバー・フードノズル
７  フタ
(57)【要約】
【課題】本考案の下着は着物着用時のトイレに関する不具合を克服する為に機能性・実用性を重視したものである。
【解決手段】女性下着（ガードルタイプ）の下部を用便ができるように裁断加工し開口部を設ける。
【選択図】図１
0003101366.tif 000002
【実用新案登録請求の範囲】
【請求項１】
下着の股下部分に開口部を設けた和装用下着
【考案の詳細な説明】
【技術分野】
【０００１】  この考案は、女性下着（ガードル）の股下部分に開口部を設けた和装用下着に関するものである。
【背景技術】
【０００２】  股下部分をボタン等で開閉できるようにした和装用下着（股割れパンツ）がある。しかし、この下着は着物を捲くし上げた状態でのボタンの開閉がしづらい、またボタンを外した後その部分が前後に垂れ下がる事になり手を添えるか下着内にその部分を挟み込む等の手間をかけなければ用をたす事ができず、時間も非常にかかっていた。また尿が垂れた部分にかかる等の不具合もあった。
【考案の開示】
【考案が解決しようとする課題】
【０００３】  着物着用時の下着については、普通のパンティであればパンティラインが着物表面に現れ不恰好になる。パンティラインが写りにくい極薄のビキニタイプは、着物にマッチせず年齢面からも万人向けとは言えず、特に冬季においては下肢が冷え保温性に問題がある。股上の長いパンティ、トランクス等着用時は上げ下ろしがしづらく手間がかかっていた。同様に汗をかいている時にも下着が肌に密着し上げ下ろしがしづらく手間がかかり、それぞれ着崩れの原因にもなっていた。
また股下部分をボタン等で開閉できるようにした和装用下着（股割れパンツ）はあるがこの下着は着物を捲くし上げた状態でのボタンの開閉がしづらくボタンを外した後その部分が前後に垂れ下がる事になり手を添えるか下着内にその部分を挟み込む等の手間をかけなければ用便をする事ができず、時間も非常にかかっていた。また尿が垂れた部分にかかる等の不具合もあった。
本案は、これらの欠点を除いて手間なく快適に用便ができるようにするものである。
【課題を解決するための手段】
【０００４】  本考案は女性下着（股上の長いガードルタイプ）の股下部分を開放加工することにより課題を解決したもの。
【考案の効果】
【０００５】  本考案の和装用下着は、ガードルタイプの下着の股下部分を開放することにより、下着の上げ下ろしの必要がなく着崩れが発生しない。
また、考案の下着は股上が長いためパンティラインが写らない、ビキニタイプに比べ保温性も良くガードルの締め付け効果によりボディラインも美しくなる。
ボタン式の股割れパンツと比べ手間がかからず快適、迅速に用便ができる。【０００６】  本考案の和装用下着は、今まで使用していた股上の長いパンツのアンダーとしても効果を得られる。
前述のとおり股上の長いパンツは上げ下ろしがしづらく、汗で素肌に密着すると更に難易度が増す。しかし本考案の和装下着をアンダーとして今までの下着の下に着用することでパンツの上げ下ろしが素肌の時と比べ格段に容易となる。
【考案を実施するための最良の形態】
【０００７】  図のように下着下部を裁断加工し開口部を設ける
【図面の簡単な説明】
【図１】  本考案に係る和装用下着を正面、側面、上方から見た図
【図１】
0003101366.tif 000003
(57)【要約】
【課題】  従来のラップは、台所周辺で使用する事を想定している為、外出時に持ち歩くには  困難なサイズであった。
【解決手段】  ラップフィルムの幅を短くし、ラップフィルムを巻く芯を細くし、ラップフィルムを入れる容器を小さくし、全体にコンパクト化を図る事によって、外出等にバックへ入れて持ち歩く事が容易になる。
【選択図】図３
0003101369.tif 000002
【実用新案登録請求の範囲】
【請求項１】
ラップフィルムの幅を短くし、そのラップフィル厶を巻く芯を細くし、入れる容器も小さくし、全体にコンパクト化した携帯用ラップ。
【考案の詳細な説明】
【技術分野】
【０００１】  本考案は、コンパクト化を図った携帯用ラップに関する。
【背景技術】
【０００２】  従来のラップは、台所周辺で使用する事を想定している為、手に持ちやすいサイズが主である。
【考案の開示】
【考案が解決しようとする課題】
【０００３】  以上に述べた従来のラップでは、外出時等にバックへ入れて持ち歩く事が困難である。【０００４】  本考案は、このような従来の問題を解決しようとするものである。
【課題を解決するための手段】
【０００５】  そして、本考案は上記目的を達成するために、ラップフィルムを巻く芯を細くし、ラップフィルムを入れる容器を小さくし、ラップフィルムの幅を短くし、全体にコンパクト化した携帯用ラップのものである。
【考案の効果】
【０００６】  上記のように本考案の携帯用ラップは、コンパクト化する事により、外出時にバック等に入れて持ち歩く事が出来る。【０００７】  その為、外食の際に食べ残した食料を、ラップに包んで持ち帰る事が容易になる。【０００８】  外食の際の、食べ残した食料を無駄にする事を回避できる。ラップに包み持参した食料を家庭内で消費する事ができる。レストラン側も生ゴミが減少し、環境に優しい効果を発揮するものである。その他、行楽の際にも携帯しやすく、様々な時に利便性を発揮する。さらに、企業側にとっても、従来の台所用品としてのラップ生産量に対し、プラスアルファーの需要と供給となる。
【図面の簡単な説明】
【０００９】
【図１】本考案の実施形態を示す携帯用ラップフィルムの斜視図
【図２】本考案の実地形態を示す携帯用ラップフィルムの容器の斜視図
【図３】本考案の実地形態を示す携帯用ラップフィルムを容器に納めた斜視図
【図４】本考案の他の形態容器に納めた携帯用ラップフィルムの斜視図
【図５】従来のラップフィルムの斜視図
【符号の説明】
【００１０】１  芯
２  ラップフィルム
３  カッター
４  容器
【図１】
0003101369.tif 000003
【図２】
0003101369.tif 000004
【図３】
0003101369.tif 000005
【図４】
0003101369.tif 000006
【図５】
0003101369.tif 000007
【手続補正書】
【提出日】平成15年11月5日(2003.11.5)
【手続補正１】
【補正対象書類名】実用新案登録請求の範囲
【補正対象項目名】全文
【補正方法】変更
【補正の内容】
【実用新案登録請求の範囲】
【請求項１】
芯に巻かれたラップフィルムを直方体の容器に収納した携帯用ラップにおいて、ラップフィルムの幅を短くし、そのラップフィルムを巻く芯を細くし、入れる容器も小さくし、全体にコンパクト化した携帯用ラップ。
(57)【要約】      （修正有）【解決手段】くつ下に、また、足袋に土ふまずの部に直接クッションを入れるポケットをつける。【効果】室内でも長時間かたい床に立つ時、また、高度の外反母趾・扁平足の足でも楽に立ち歩きできる。【選択図】図１
0003101370.tif 000002
【実用新案登録請求の範囲】
【請求項１】
くつ下の裏面に半円形のポケットをつけ、ポケットの中にアーチ・サポート・クッションを入れるようにしたくつ下。
【請求項２】
足袋にくつ下と同じように裏にポケットをつくり、アーチ・サポート・クッションを入れるようにした足袋。
【考案の詳細な説明】
【考案の詳細な説明】
この考案は靴下のつちふまずの部のポケットにクッションを入れるようにし、荷重時の足の開扇現象を防ぎ、歩行時、起立時に母趾のつけ根の内側、小趾の外側にかかる圧迫をとりのぞくようにし、また、足の疲労感をおこさぬよう考えた。
従来のアーチ・サポート・クッションは直接靴にはりつけるものとか、足底挿板式のもので、ある種のはきものでは不便であった。また、
本考案は屋内においてもくつ下に直接アーチ・サポートクッションがついているから屋内のかたい床、板の間などでも足は非常に楽である。
くつ下を洗濯する時は、アーチ・サポート・クッションは取り出せるようにしてある。
アーチ・サポート・クッションはポリウレタン製の市販のものを利用してもよいが図３，図４に示すようなポリウレタン多泡体が適と考える
【図面の簡単な説明】
【図１】本考案の内側からみた側面像
【図２】本考案の裏からみた図
【図３】本考案のアーチ・サポート・クッション（足穹隆保持クッション）の裏面図
【図４】アーチ・サポート・クッションの横断面図
【図面の附号の説明】
１．くつ下の裏のアーチ・サポート・クッションを入れるポケット
２．アーチ・サポート・クッション（足穹隆保持クッション）
３．ポケットをふたするマジック・テープ。
４．ポケットからクッションがはみ出さないようポケットの出入口の端の部を１ｃｍづつ縫い込む。
５  クッションの上部のカーブ（凸レンズ状）の頂点。
６  クッションの形状は凸レンズ状で横径は６ｃｍで半円形。
７．  クッションの縦径は９ｃｍの半円形。
８  クッションの頂点から内側縁迄２ｃｍの弓形。
９  クッションの厚さ１ｃｍ。と０．７ｃｍの二種をつくる。
１０  クッションの底面にすべり止めとしてザラ目をつける。
１１．クッションの底面と内側の壁とのなす角１２０度。
１２．足巾の１／３内側の点。
１３  足巾の１／４内側の点。
１４  足底の前後径の中央にポケットがあるようにする。
１５  半円形のポケットの縫い目。
【図１】
0003101370.tif 000003
【図２】
0003101370.tif 000004
【図３】
0003101370.tif 000005
【図４】
0003101370.tif 000006
(57)【要約】
【課題】遊戯性を具備した健康器具。
【解決手段】この健康器具はともに左右の対称位置にある把持部３と紐巻き取り部４とを有する長さの調節可能な円管５内に紐２を挿通し、紐２の両端に軟質素材からなる空気圧入の球状体１が連結してあり、紐巻き取り部４に紐２を巻き取り、紐２の長さを調節してから把持部３を両手で持ち上げ球状体１をぶら下げて使用する。その際、空気圧入の球状体１は腰のあたりに当接するようにし、体を左右に反復揺動して球状体１が弾んで振り子状の運動をするようにする。球状体１が腰に当たるように繰り返すことが遊戯性を付与して使用者に興味を与える。
【効果】本考案の健康器具を使用することにより、腰痛を予防し肩凝りや座骨神経痛が緩和されるほか、大胸筋が発達し、体脂肪を減少させ、腹部の運動により腸に刺激を与え便秘を改善する等の効果がある。
【選択図】      図１
0003101400.tif 000002
【実用新案登録請求の範囲】
【請求項１】
それぞれが左右の対称位置にある把持部と紐巻き取り部を有する長さ調節可能な円管内に紐を挿通し、紐の両端に軟質素材からなる空気圧入の球状体を連結してあり、紐巻き取り部に紐を巻き取り、紐の長さを調節し、把持部を両手で持ち上げ球状体をぶら下げて使用するようにしてある健康器具。
【考案の詳細な説明】
【技術分野】
【０００１】
本考案は遊戯性を具備した健康器具に関する。
【背景技術】
【０００２】
従来、各種の健康器具が市販されているが、飽きて継続使用性に欠けるものが多く、これを解決するため遊戯性を有する健康器具が求められているのに、ゴム球を使用した健康器具は殆どなく、特許文献１に、負圧により皮膚に吸着させる逆カップ状の台座の上端に、その負圧を生じさせる中空のゴム球を突設し、内部に発熱体を設けたものを電気治療健康器具としているものが有るくらいで、直接、ゴム球を体に当てるという健康器具は見当たらない。
【特許文献１】特開平５−１５４２０６
【考案の開示】
【考案が解決しようとする課題】
【０００３】
本考案は遊戯性を具備した健康器具を提供せんとするものである。
【課題を解決するための手段】
【０００４】
ここにおいて本考案者はともに左右の対称位置にある把持部３と紐巻き取り部４とを有する長さ調節可能な円管５内に紐２を挿通し、紐２の両端に軟質素材からなる空気圧入の球状体１を連結してあり、紐巻き取り部４に紐２を巻き取り、紐２の長さを調節し、把持部３を両手で持ち上げ球状体１をぶら下げて使用するするようにしてある健康器具を見出すに至った。
【０００５】
この健康器具は使用にあたり、把持部３を両手で持ち上げ、球状体１をぶら下げて球状体１が腰のあたりに当接するようにし、腰を左右に反復揺動して球状体１が腰で弾み、振り子状の運動をするようにする。球状体１が腰に当たるように繰り返すことが遊戯性を付与して使用者に興味を与える。。その際、軟質素材からなる空気圧入の球状体１のぶら下げ位置を調節するため、予め空気圧入の球状体１をぶら下げる紐２を紐巻き取り部４に巻付けて紐２の長さを調節しておく。
【考案の効果】
【０００６】
本考案の健康用具を使用することにより、腰痛を予防し肩凝りや座骨神経痛が緩和されるほか、大胸筋が発達し、体脂肪を減少させ、腹部の運動により腸に刺激を与え便秘を改善する等の効果がある。
【考案を実施するための最良の形態】
【０００７】
本考案の健康器具は図１に示すごとく、ともに左右の対称位置にある把持部３と紐巻き取り部４とを有する長さの調節可能な円管５内に紐２を挿通し、紐２の両端に軟質素材からなる空気圧入の球状体１を連結してあり、紐巻き取り部４に紐２を巻き取り、紐２の長さを調節して使用するので、把持部３の表面は滑りにくい軟質ゴム等の素材で構成するのが好ましい。
【０００８】
紐２が円管５内に挿通されているので、円管５の左右端から出ている紐２をそれぞれ紐巻き取り部４に巻き付けて垂下の長さを調節するが、個人用で使用する場合は、予め使用時の紐２の長さがわかるので、紐２の長さを当初から所定の長さにして組み立てれば紐巻き取り部４に紐２を巻き付けなくとも使用が可能である。なお、空気圧入の球状体１は軟質塩化ビニール樹脂等からなり、その大きさは３０ｃｍφ程度で重さが１個６００ｇ程度のものが健康器具として好適であり、彩色してあれば楽しさが増す。
【０００９】
なお、両方の把持部３の間隔には個人差があるので、それを調節するため割り溝入り螺旋溝のある円管を途中に組み入れておき、これに被せて螺合する短い円管の回動により緩めて円管５の伸縮を図り緊締して円管５の長さを調節するようにしておく。
【図面の簡単な説明】
【００１０】
【図１】本考案の健康器具の外観図
【符号の説明】
【００１１】
１  球状体
２  紐
３  把持部
４  紐巻き取り部
５  円管
【図１】
0003101400.tif 000003
(57)【要約】      （修正有）【課題】多数のヘルメットとバットを脚立状本体へコンパクトに整理整頓して収容出来るようにすると共に、プレイ終了後には野球用具入りスポーツバッグを積載して楽に運搬出来るようにした、ヘルメット、バット整理具兼運搬具を提供する。【解決手段】脚立状本体１のサイドにタオル掛け状のヘルメット挿入載置用横桟２を延設し、一方の脚の下方に九箇程度のバット挿入用短筒体３を整列装備させると共に、その両端部にキャスター４を備えてなる。【選択図】図１
0003101392.tif 000002
【実用新案登録請求の範囲】
【請求項１】
脚立状本体（１）のサイドにタオル掛け状のヘルメット挿入載置用横桟（２）を延設し、一方の脚の下方に九箇程度のバット挿入用短筒体（３）を整列装備すると共に、その両端部にキャスター（４）を備えてなるヘルメット・バット整理具兼運搬具。
【考案の詳細な説明】
【考案の詳細な説明】
【技術分野】
【０００１】  本考案は、多数のヘルメットとバットを簡易に整理整頓して置くことが出来ると共に、必要に応じて大きなスポーツバッグを乗せて携行運搬できるものである。
【背景技術】
【０００２】  従来、グランドで野球を行う際に必要な多数のヘルメットとバットを同時に整理整頓して収容する適切な器具は特に無い。ヘルメットをフックに吊り下げたりベンチに置いたりしている。又、バットを傘立て状スタンドに投入したりしている。特に、特定の設備のないグランドなどは皆無に等しい。
【考案が解決しようとする課題】
【０００３】  従って、大事な野球用具を損傷したり紛失したりすることが起こりやすい。そこで本考案は、多数のヘルメットとバットを体裁よく整然と整理整頓が出来ると共に、その出し入れが簡単であり、しかも傷付けないように配慮されてなるものである。又更に、グランドへの持ち運びや持ち帰りが楽々と容易に行える運搬機能を併設してある。
【考案の実施の形態・実施例】
【０００４】  脚立状本体（１）のサイドに、タオル掛け状のヘルメット挿入載置用横桟（２）を延設し、一方の脚の下方に九箇程度のバット挿入用短筒体（３）を整列装備すると共に、その両端部にキャスター（４）を備えてなる。
【０００５】  前記ヘルメット挿入載置用横桟（２）の桟の隙間にヘルメット（Ａ）の鍔部を挟み込むようにして載置できる。取るのも置くのもワンタッチで行える。
又、バット（Ｂ）は上方より前記バット挿入用短筒体（３）めがけてやや斜めに挿入することが出来る。自動的に整列されるから極めて取り出しやすい。
少なくとも九箇のヘルメット（Ａ）とバット（Ｂ）がコンパクトに整然と整理収容することが出来る。
【０００６】  なお、前記ヘルメット挿入載置用横桟（２）の各桟の表面は、ゴムやスポンジ等をコーティングしてあり、ヘルメットの傷付きを防止している。又、バット挿入用短筒体（３）の内面も、ゴム・スポンジ等のコーティングを施し、バット先端部の損傷を防止してある。
【０００７】  グランドでのプレイや練習後には、ヘルメット（Ａ）やバット（Ｂ）をスポーツバッグ（Ｃ）に詰め、前記脚立状本体（１）を閉脚し、ヘルメット挿入載置用横桟（２）を棚がわりに利用して該バッグを乗せることが出来る。又、キャスター（４）を利用して片手で楽々と携行運搬することが出来る。又、逆にグランドへ向かう時にも全員の野球用具を一括して運搬することが出来る。
【考案の効果】
【０００８】  多数のヘルメットとバットをコンパクトな脚立状架台に集合して整理整頓が出来るので、極めて使いやすく損傷や紛失の恐れもなくなると共に、一括して楽に携行運搬も出来る便利にして有益な考案を提供するものである。
【図面の簡単な説明】
【図１】    本考案の構造を示す斜視図
【図２】    本考案の実施状態を示す斜視図
【図３】    本考案のバット挿入状態を示す要部斜視図
【図４】    本考案のヘルメット挿入載置状態を示す要部斜視図
【図５】    本考案の閉脚してバッグ積載運搬状態を示す斜視図
【符号の説明】
１    脚立状本体
２    ヘルメット挿入載置用横桟
３    バット挿入用短筒体
４    キャスター
Ａ    ヘルメット
Ｂ    バット
Ｃ    スポーツバッグ
【図１】
0003101392.tif 000003
【図２】
0003101392.tif 000004
【図３】
0003101392.tif 000005
【図４】
0003101392.tif 000006
【図５】
0003101392.tif 000007
(57)【要約】      （修正有）【課題】広いグランドの地均し作業を、楽々と短時間できれいに実施出来るようにする。【解決手段】細長Ｌ状屈曲体Ｘの下部に刃体２を備え、上部に壁体３を備えると共に、その中央部にほぼ垂直に把手棒４を強固に固定する。グランドの土に刺さる角度を鋭角にすることによって、高い場所の土を削る作業を楽にすると共に、その削った土を細長Ｌ状屈曲体Ｘの刃体２と壁体３に乗せて、低い場所へ移動して落とすことによって能率的な地均し作業が行える。【選択図】図１
0003101391.tif 000002
【実用新案登録請求の範囲】
【請求項１】
細長Ｌ状屈曲体（Ｘ）の下部に刃体（２）を備え、上部に壁体（３）を備えると共に、その中央部にほぼ垂直に把手棒（４）を強固に固定してなるグランドレーキ。
【考案の詳細な説明】
【考案の詳細な説明】
【技術分野】
【０００１】  本考案は、グランドで野球などの試合や練習をする前に、地均しをする用具に関するものである。
【背景技術】
【０００２】  従来、グランド地均し用の木製又はスチール製グランドレーキが市販されている。
【考案が解決しようとする課題】
【０００３】  上記市販のグランドレーキは、地面に対して直角に近い角度なので、高い場所の土を削るのがたいへんであり手間と時間がかかっている。又、均すのにも土に喰い込むことが多く作業性が悪い。
【問題を解決するための手段】
【０００４】  そこで本考案は、上述の地均し作業を素早くきれいに能率的に行えるよう開発したものである。
グランドの土に刺さる角度を鋭角にすることによって、高い場所の土を削る作業を楽にすると共に、その削った土を細長Ｌ状屈曲体（Ｘ）の刃体（２）と壁体（３）に乗せて、低い場所へ移動して落とすことによって能率的な地均し作業が行える。
【考案の実施の形態・実施例】
【０００５】  刃体（２）と壁体（３）の中央にほぼ垂直且つ強固に固定した把手棒（４）の握り（５）を持ってグランドの高い場所の土を削り取る。鋭角の刃体（２）によって楽々とスピーディーな作業が行える。
【０００６】  高い場所の削り取った土は、その刃体（２）と壁体（３）の上に乗せることが出来るので、これをそのまま低い場所へ移動させて落とせば、広いグランドの地均しが効率的に実施出来る。
【０００７】    又、引いても押しても地均し作業がスムーズに行えるので、従来にない能率的作業が実施出来る。なお、他の実施例に示すように、前記壁体（３）や刃体（２）の部分をやや幅広く構成することによって、削り取った土を多めに乗せることが出来る。
【考案の効果】
【０００８】  グランドの高い場所の土を楽に且つスピーディーに削ることが出来ると共に、その削り取った土をそのまま低い場所に移動させて落とすことが出来るので、広いグランドの地均し作業が極めて能率的に実施出来る有益考案を提供するものである。
【図面の簡単な説明】
【図１】  本考案の斜視図
【図２】  本考案の側面図
【図３】  本考案の他の実施例を示す斜視図
【図４】  本考案の他の実施例を示す平面図
【符号の説明】
１    本体
２    刃体
３    壁体
４    把手棒
５    握り
Ｘ    細長Ｌ状屈曲体
【図１】
0003101391.tif 000003
【図２】
0003101391.tif 000004
【図３】
0003101391.tif 000005
【図４】
0003101391.tif 000006
(57)【要約】
【課題】  金属管の両端寄り下面に装着されたキャスタに加わる力を平均化し、キャスタを支持するＴナットを金属管に溶接しやすいハンガーラックを提供すること。
【解決手段】  略弓形の金属管１１と一対のキャスタ１３から成る脚部を有し、金属管１１の両端部下面に、水平下面１１０１を有する溶接座部１１０を形成し、水平下面１１０１に係止孔１１０２を形成し、Ｔ形ナット１２を係止孔１１０２に挿入して、Ｔ形ナット１２の下端外周に水平に張りだしたフランジ１２１を水平下面１１０１に溶接し、キャスタ１３から突出したネジ軸１３１をＴ形ナット１２のネジ孔１２２に螺合する。
【選択図】          図３
0003101319.tif 000002
【実用新案登録請求の範囲】
【請求項１】
上方へ凸に湾曲した略弓形の金属管と、その両端部に装着された一対のキャスタとから成る脚部を有し、前記金属管の両端部下面に、水平下面を有する溶接座部を形成すると共に、該溶接座部の水平下面に係止孔を形成し、Ｔ形ナットを前記係止孔に挿入すると共に、該Ｔ形ナットの下端外周に水平に張りだしたフランジを前記溶接座部の水平下面に溶接し、前記キャスタの上方に突出したネジ軸を、前記Ｔ形ナットの中心軸に沿って形成されたネジ孔に螺合したことを特徴とするハンガーラック。
【考案の詳細な説明】
【技術分野】
【０００１】
本考案は、金属管製の脚部を有するハンガーラックに関する。
【背景技術】
【０００２】
図１及び図２に、従来のハンガーラックを示す。
ハンガーラックの下端両側には、弓形に湾曲した金属管２１と、その両端部に装着された一対のキャスタ２３とから成る脚部２０を設ける。
金属管２１の両端寄りの下面にはそれぞれ係止孔２１１を形成し、係止孔２１１にＴナット２２を埋め込む。Ｔナット２２の一端外周にはフランジ２２２が形成され、このフランジ２２２を金属管２１の下面に溶接してある。
また、Ｔナットには中心軸に沿ってネジ孔２２１を形成し、キャスタ２３の上方へ突出するネジ軸２３１をＴナット２２のネジ孔２２１へ螺合して、キャスタ２３を金属管２１へ取りつけてある。
【０００３】
ところが、キャスタ２３のネジ軸２３１は垂直に設置しなければならないので、弓形に湾曲した金属管２１とＴナット２２のフランジ２２２とは、内側（金属管２１の頂部側）が広くなるような角度を持って交差することになる。
このため、溶接作業が困難で、Ｔナット２２が傾き易いばかりでなく、溶接の大部分がＴナット２２の内側に偏るので、内側に大きな溶接痕Ａが形成され、Ｔナット２２と金属管２１の接触面が不均等になり、外力が加わると、キャスタ２３が容易に湾曲してしまう。
【考案の開示】
【考案が解決しようとする課題】
【０００４】
本考案が解決しようとする課題は、金属管の両端寄り下面に装着されたキャスタに加わる力を平均化し、キャスタを支持するＴナットを金属管に溶接しやすいハンガーラックを提供することにある。
【課題を解決するための手段】
【０００５】
本考案のハンガーラックは、上方へ凸に湾曲した略弓形の金属管と、その両端部に装着された一対のキャスタとから成る脚部を有し、前記金属管の両端部下面に、水平下面を有する溶接座部を形成すると共に、該溶接座部の水平下面に係止孔を形成し、Ｔ形ナットを前記係止孔に挿入すると共に、該Ｔ形ナットの下端外周に水平に張りだしたフランジを前記溶接座部の水平下面に溶接し、前記キャスタの上方に突出したネジ軸を、前記Ｔ形ナットの中心軸に沿って形成されたネジ孔に螺合してある。
【考案の効果】
【０００６】
本考案によれば、金属管の下面に、水平下面を有する溶接座部を形成し、キャスタを取りつけるためのＴ形ナットのフランジを溶接座部の水平下面に溶接してあるので、Ｔ形ナットを簡単に、且つ、正確な角度に溶接することができ、また、キャスタに加わる外力が平均して分散され、このため、キャスタの破損や変形を防ぐことができて、耐久性が向上する。
【考案を実施するための最良の形態】
【０００７】
以下、本考案の実施例を、図面に基づいて詳細に説明する。なお、ハンガーラックはほぼ左右対称なので、図面にはハンガーラックの一側下部のみを示す。
図３及び図４に示すように、ハンガーラックの下端両側には、上方へ凸に湾曲した略弓形の金属管１１と、その両端部に装着された一対のキャスタ１３とから成る脚部をそれぞれ設ける。
金属管１１の両端部下面をプレス成形により下方へ突出させて、水平下面１１０１を有する溶接座部１１０を形成する。溶接座部１１０の水平下面１１０１には、係止孔１１０２を形成してある。
【０００８】
金属管１１の係止孔１１０２には、金属製のＴ形ナット１２を下方から挿入する。
Ｔ形ナット１２は、その中心軸に沿ってネジ孔１２２を有すると共に、Ｔ形ナット１２の下端外周には、係止孔１１０２よりも径大のフランジ１２１を水平方向に張りだしてあり、このフランジ１２１を溶接座部１１０の水平下面１１０１に密着させて溶接することにより、Ｔ形ナット１２を金属管１１に取りつける。
キャスタ１３は、断面半円状に湾曲した支持具１３２の下方に回動自在に支持され、支持具１３２の頂部上面にはネジ軸１３１を突設する。
そして、ネジ軸１３１をＴ形ナット１２のネジ孔１２２に螺じ込んで、キャスタ１３を金属管２１に取りつける。
【０００９】
金属管１１の溶接座部１１０の水平下面１１０１に、Ｔ形ナット１２のフランジ１２１を溶接し、Ｔ形ナット１２のネジ孔１２２にネジ軸１３１を螺合して、キャスタ１３を取りつけてあるので、キャスタ１３のネジ軸１３１を垂直に起立させ易く、金属管１１とＴ形ナット１２との溶接作業も容易となる。
また、溶接部は溶接座部１１０の水平下面１１０１とＴ形ナット１２のフランジ１２１との間にほぼ均一に形成されるので、体裁も良く、キャスタ１３に加わる外力が分散されて、キャスタ１３の変形や破損を防ぐことができ、耐久性が向上する。
【図面の簡単な説明】
【００１０】
【図１】従来のハンガーラックの要部分解斜視図。
【図２】従来のハンガーラックの一部を破断した要部側面図。
【図３】本考案の実施例を示すハンガーラックの要部分解斜視図。
【図４】本考案の実施例を示すハンガーラックの一部を破断した要部側面図。
【符号の説明】
【００１１】
１１  金属管
１１０  溶接座部
１１０１  水平下面
１１０２  係止孔
１２  Ｔ形ナット
１２１  フランジ
１２２  ネジ孔
１３  キャスタ
１３１  ネジ軸
１３２  支持具
【図１】
0003101319.tif 000003
【図２】
0003101319.tif 000004
【図３】
0003101319.tif 000005
【図４】
0003101319.tif 000006
(57)【要約】
【課題】  本考案は、海水対応バクテリアが住む自然石を海水の中においたビンを用意して、一人一水槽飼育や手軽に海水魚を観察できる水換え不要海水魚ビン水槽を提供する。
【解決手段】  水換え不要海水魚ビン水槽において、海水対応バクテリアが定着済みのコーガ石５と海水４と、これらを収納するビン１と、このビン１を封じる蓋２とを具備する。
【選択図】  図１
0003101324.tif 000002
【実用新案登録請求の範囲】
【請求項１】
海水対応バクテリアが定着済みのコーガ石と、（ｂ）海水と、（ｃ）これらを収納する水換え不要ビン水槽。
【考案の詳細な説明】
【技術分野】
【０００１】  本考案は、特に学校教育や観賞用として用いられる、海水と自然石（コーガ石）を使用した水換え不要海水魚ビン水槽に関するものである。
【背景技術】
【０００２】  従来は、このような学校教育用として用いられるものは、主として淡水を使用した淡水魚用（メダカ等）として用いられていた。
淡水魚の技術は公知となっている。例えば、特許文献１に開示される「水換え不要ビン水槽」は、主として淡水魚を水換え不要としたビン水槽で飼育することとしている。
【特許文献１】  特開２０００−２０９９７９
【考案の開示】
【考案が解決しようとする課題】
【０００３】  しかし、上記特許文献１の構成は、主として淡水魚（メダカ等）を対象としたものであり、海水魚をビン水槽で長期間飼育することは難かしいという不具合があった。
【課題を解決するための手段】
【０００４】  本考案の解決しようとする課題は以上の如くであり、次にこの課題を解決するための手段とその効果を説明する。【１】図１に示す水換え不要海水魚ビン水槽において、海水対応のバクテリアが定着済みの自然石と海水と、これらを収納するビンと、このビンを封じる蓋とを具備するようにしたものである。【０００５】
【２】上記【１】記載の水換え不要海水魚ビン水槽において、前記自然石はコーガ石である。【０００６】
【３】上記【２】記載の水換え不要海水魚ビン水槽において、コーガ石は径が砂状（約２ｍｍ以下）のものから１０〜２０ｍｍのものを混在させて配置するようにしたものである。
【考案を実施するための最良の形態】
【０００７】以下、本考案の実施形態について図を参照しながら詳細に説明する。【０００８】図１は、本考案の第１実施例を示す水換え不要海水魚ビン水槽である。【０００９】  この図において、１はビン、２は蓋、３は海水、４は海水魚、５は海水対応バクテリア定着済みコーガ石であり、径が砂状（約２ｍｍ以下）のものから１０〜２０ｍｍのものを混在させ、大、中、小の３種の径のコーガ石に３種の海水対応バクテリアを定着してある。【００１０】  本考案によれば、まず、海水対応バクテリアが住みやすいコーガ石の各種サイズ（大、中、小）のもの５を、ビン１に配置し、海水３を入れてその中に海水魚（ヒラメや鯛などの稚魚、体長１０〜１５ｍｍ）などを入れて餌を与えて飼育する。【００１１】  狭い水槽の中では、残り餌と海水魚の糞などから魚に有害なアンモニアと亜硝酸が発生する。しかし、上記のコーガ石５は、アンモニアと亜硝酸の２種類の有害物質を分解する海水対応バクテリアが好む天然ゼオライトなので、確実にバクテリアが定着・増殖し、世代交代を繰り返す。したがって、定期的にバクテリアを補充する必要はない。【００１２】  このように、コーガ石の中には、酸素を発生させるシアノバクテリアと２種類の硝化バクテリアが存在し、海水魚の住む水環境を最適なものに保つ働きをしている。【００１３】図２は、本考案の第２実施例を示す水換え不要海水魚ビン水槽である。なお、上記した第１実施例と同じ部分については、同じ符号を付してそれらの説明は省略する。【００１４】  この実施例においては、海水対応バクテリア定着済みコーガ石に対して、エアーを供給できるように構成した点に特徴を有する。つまり、外部に小型エアーポンプ２１を配置して、海水対応バクテリア定着済みコーガ石５の底部にそのエアー排出孔２３が設けられたチューブ２２をビン１の外部から内部に配置し、外部に配置された小型エアーポンプ２１から前記チューブ２２を介してエアーを送り、そのエアーを海水対応バクテリア定着済みコーガ石５に供給する。なお２４は蓋２の上部に形成される排気孔である。【００１５】  このように、コーガ石にエアーを送り込むようにすると、エアーレーションされて、更に海水対応バクテリアの分解能力が上がる。【００１６】  本考案は、上記実施例に限定されるものではなく、たとえばビンは清涼飲料水などに用いられているＰＥＴボトルを用いても良いなど、本考案の趣旨に基づいて種々の変形が可能であり、これらを本考案の範囲から排除するものではない。
【考案の効果】
【００１７】  以上、詳細に述べたように、本考案によれば、つぎのような効果を奏することができる。
【００１８】  （Ａ）海水対応バクテリアが住む自然石を海水の中においたビンを用意して、一人一水槽で身近で名前の知れた海水魚を手軽に飼育と観察ができる水換え不要海水魚ビン水槽を提供することができる。
【００１９】  （Ｂ）飼育のための手間が掛からず、メンテナンスフリーの観賞用水槽を低価格で提供することができる。
【図面の簡単な説明】
【図１】  本発明の第１実施例を示す水換え不要海水魚ビン水槽である。
【図２】  本発明の第２実施例を示す水換え不要海水魚ビン水槽である。
【符号の説明】
１    ビン
２    蓋
３    海水
４    海水魚
５    ３種の海水対応バクテリア定着済みのコーガ石
２１  小型エアーポンプ
２２  チューブ
２３  エアー排出孔
２４  排気孔
【図１】
0003101324.tif 000003
【図２】
0003101324.tif 000004
(57)【要約】
【課題】  この考案の目的は、メガネフレームの装飾として使用する宝飾品を、簡単に交換することができるメガネフレームを提供することである。
【解決手段】  この考案は、メガネフレームのツル１に貫通孔３を設けるとともに、この貫通孔３にダイヤモンド等の人工または天然の宝飾品Ｄをはめ込んでいる。そして、上記貫通孔３を設けた部分をかしめている。上記貫通孔３の部分をかしめることによって、上記宝飾品Ｄを上記貫通孔３内に固定したことを特徴とする。
【選択図】  図１
0003101335.tif 000002
【実用新案登録請求の範囲】
【請求項１】
メガネフレームのツルに貫通孔を設け、この貫通孔にダイヤモンド等の人工または天然の宝飾品をはめ込むとともに、貫通孔を設けた部分をかしめて、上記宝飾品を貫通孔内に固定したことを特徴とするメガネフレーム。
【考案の詳細な説明】
【技術分野】
【０００１】
本考案は、メガネフレームの装飾に関するものである。
【背景技術】
【０００２】
メガネフレームは、そのフロント部に形成しているリムにレンズを嵌めて顔にかけるためのものである。そこで、上記メガネフレームは、軽くて疲れにくいことが必要であり、近年の金属製メガネフレームにはチタン等のバネ性に優れた軽い材質が多用されている。一方、メガネは、上記のように機能性だけを追及するのではなく、顔にかけることからファッション性が要求される。したがって、メガネフレームには、様々な装飾が施されることが多い。
【０００３】
上記メガネフレームには、例えば、メッキや塗装、又は印刷にて装飾する場合が多いが、
装飾として、ダイヤやルビー等の宝飾品を使用したものも知られている。このような宝飾品を使用したメガネフレームは、ツルの部分に有底の穴を設け、この穴に宝飾品を埋め込んでいる。この宝飾品は、メガネフレームに対して接着剤等で固定されている。
【考案の開示】
【考案が解決しようとする課題】
【０００４】
上記メガネフレームを使うユーザーの中には、メガネフレームは気に入っているので交換したくないが、宝飾品だけを交換したいと考える人もいる。しかし、上記メガネフレームは、穴に宝飾品を接着剤等で固定しているので、簡単に取り外すことができなかった。
【０００５】
したがって、上記のように、ユーザーが、メガネフレームは交換せずに埋め込んだ宝飾品だけを交換したいと考えた場合には、このメガネフレームを作ったメーカー等に送って、宝飾品を交換してもらわなければならなかった。そのため、宝飾品を交換したメガネがユーザーの手元に戻ってくるまでに時間がかかるので、その間ユーザーは、そのメガネを使用することができないという問題があった。
この考案の目的は、メガネフレームの装飾として使用する宝飾品を、簡単に交換することができるメガネフレームを提供することである。
【課題を解決するための手段】
【０００６】
この考案は、メガネフレームのツルに貫通孔を設け、この貫通孔にダイヤモンド等の人工または天然の宝飾品をはめ込むとともに、貫通孔を設けた部分をかしめて、上記宝飾品を貫通孔内に固定したことを特徴とする。
【考案の効果】
【０００７】
この考案によれば、宝飾品をメガネフレームのツルに設けた貫通孔にはめ込んでいるので、棒などによって宝飾品を押し出すだけで、上記貫通孔から簡単に宝飾品を取り外すことができる。したがって、メガネ小売店などでも宝飾品を簡単に交換することができるので、ユーザーは時間をかけずに宝飾品を交換してもらうことができるようになる。
【考案を実施するための最良の形態】
【０００８】
図１、図２にこの考案の第１実施形態を示す。図１に示すように、メガネフレームのツル１に、ツル１の他の部分よりも膨らませた装飾部２を設けている。この装飾部２には、貫通孔３を設けている。この貫通孔３に、図２に示すように、貫通孔３の幅Ｈと同じ大きさの宝飾品であるダイヤモンドＤを表面Ｘ側からはめ込むようにしている。そして、ダイヤモンドＤを上記貫通孔３からはみ出さないように位置決めしてから、装飾部２をかしめることによって、貫通孔３にはめ込んだダイヤモンドＤを固定している。
【０００９】
上記のようにしたメガネフレームにおいて、上記貫通孔３にはめ込んだダイヤモンドＤを交換するには、図２に示すように、ダイヤモンドＤを棒Ｂなどによって裏面Ｙ方向から押し出す。このダイヤモンドＤは、上記のようにかしめることによって固定されているだけなので、棒Ｂなどで押し出すだけで簡単に取り外すことができる。したがって、メガネ小売店などでもダイヤモンドＤから他の宝飾品に簡単に交換することができる。そのため、ユーザーは、時間をかけずにダイヤモンドＤを他の宝飾品に交換してもらうことができる。
【００１０】
なお、上記第１実施形態では、メガネフレームのツル１に、ツル１の他の部分よりも膨らませた装飾部２を設けているが、これは貫通孔３にダイヤモンドＤをはめ込んだときに、かしめる場所をわかりやすくするためである。ただし、上記装飾部２を膨らませずに貫通孔３を設け、この貫通孔３にダイヤモンドＤをはめ込むようにしてもかまわない。
【００１１】
図３に示す第２実施形態は、メガネフレームのツル１に設けた貫通孔３の径を、表面Ｘ側よりも裏面Ｙ側を小さくしている点に特徴を有するもので、それ以外の構成は、上記第１実施形態と全て同じである。したがって、以下では、貫通孔３の構造を中心に説明するとともに、上記第１実施例と同一の構成要素には同一の符号を付し、その詳細説明を省略する。
【００１２】
上記のように、上記貫通孔３の径を表面Ｘ側よりも裏面Ｙ側を小さくすることによって、ダイヤモンドＤを表面Ｘ側からはめ込んだときに、ダイヤモンドＤの角が貫通孔３に引っかかるので、ダイヤモンドＤが裏面Ｙ側からはみ出すことがない。したがって、上記第１実施形態のようにダイヤモンドＤを貫通孔３からはみ出さないように位置決めする必要がなくなる。
【図面の簡単な説明】
【００１３】
【図１】本発明の第１実施形態を示す要部拡大図である。
【図２】図１の貫通孔３の断面図である。
【図３】第２実施形態を示す断面図である。
【符号の説明】
【００１４】
１    ツル
３    貫通孔
Ｄ    ダイヤモンド
【図１】
0003101335.tif 000003
【図２】
0003101335.tif 000004
【図３】
0003101335.tif 000005
(57)【要約】      （修正有）【課題】小型で、かつ単純な構造で室内や箱装置内の除湿・加湿をおこない、容易に湿度を調整することができる湿度調整装置を提供する。【解決手段】水を入れた容器に金属板を入れて、その金属板を加熱または冷却をすることで室内や箱装置内の湿度を調整することができる。【選択図】図１
0003101385.tif 000002
【実用新案登録請求の範囲】
【請求項１】
水の入った容器に金属板があり、この金属板を加熱・冷却することで室内や箱装置の空気中の湿度を調整することを特徴とする湿度調整装置。
【考案の詳細な説明】
【技術分野】
【０００１】  この考案は、室内や箱装置内の湿度を調整する装置に関する。
【背景技術】
【０００２】  従来の装置は手法として電極・多孔質板・浸透膜等を用いた装置であり実用化が難しい装置であった。実用化されている装置は加湿器または除湿機のどちらかに限定している単一機能装置である。
【考案の開示】
【考案が解決しようとする課題】
【０００３】  しかしながら、以上の技術によれば、単一機能であったり、大がかりな設備が必要で実用化できる装置としては課題が多い。そこで、この考案は小型で、かつ単純な構造で室内や箱装置内の湿度を調整することができる装置を提供することを課題とする。
【課題を解決するための手段】
【０００４】  以上の課題を解決するために、この考案は、湿度を調整する室内や箱装置内の空気中の湿度を調整する装置を具備している。この装置は水を入れる容器１に金属板２を縦に隙間をあけて設置し、金属板の枚数および大きさは湿度を調整する部屋内または箱装置内の大きさにより調整する。この金属板は一部がこの水に入っていることが必要であり、この金属版は加熱・冷却できる加熱・冷却装置３に接続してあり、この金属板２を加熱・冷却装置３で加熱・冷却をする。水を入れる容器１の水の補給は水の補給タンク４により、水を補給する。金属板の加熱・冷却動作は湿度計５の信号により動作する。室内や箱装置内の湿度は湿度計５により湿度値を設定する。室内や箱装置内の湿度が設定値より高い時は、湿度計５から加熱・冷却装置３に信号が送られて加熱・冷却装置３は冷却動作をし、金属板２が冷却する。金属板２は室内または箱装置内の温度よりも下がり、金属板の表面に室内または箱装置内の空気中の水分が結露する。結露した水滴は金属板をつたわつて容器１に溜まる。空気中の水分が結露し水滴が溜まった事により、室内または箱装置内の空気中の水分を除去し湿度が下がる。箱装置内の空気中の水分が除去され湿度計５の設定値より湿度が下がると、湿度計５より信号が送られて加熱動作になる。加熱・冷却装置３が加熱動作になると金属板２は加熱し容器１にある水を温めて水を気化させ、室内または箱装置内の空気中の水分を増やす。容器１の水が空気中に気化し減ってくると補給タンク４から水を補給する。湿度計５の信号により加熱・冷却を繰り返すことにより、湿度計５で設定した湿度に室内や箱装置内の湿度が保てることを特徴とする湿度調整装置である。
【考案の効果】
【０００５】  この考案によれば、この装置は金属板が加熱または冷却することで室内や箱装置内の湿度を調整することができ、空気中の水分を結露させて湿度を下げたり、気化させて湿度を上げたりするため、水の補給が少なく効率的に湿度を設定できることを容易にした。
【考案を実施するための最良の形態】
【実施例】
【０００６】  この考案の一実施形態を、図１に示す。  この装置の加熱・冷却装置３はペルチェ素子などを使い加熱・冷却することもよい。また、大きな室内または箱装置内の湿度を制御する時はヒーターとポンプ式冷却装置を併用して駆動することでもよい。金属板２の表面は結露した水滴が容器１へすべり落ちやすい表面祖度がよい。また、結露したものが凍ることがない温度でこの金属板の加熱・冷却温度は室温との差が十分になる能力があることが望ましい。
【実施形態の効果】
【０００７】  この考案により、研究室や大学での実験環境や一定湿度を必要としている業種で必要としている湿度の調整が可能となり、研究・製造過程・冷蔵庫・家庭等の部屋などの湿度調整が容易になる。
【他の実施形態】
【０００８】  図１の実施形態では、金属板は横に隙間をあけて設置しているが、何重かの輪形状や格子形状でもよい。また金属板は熱伝導の良い材質で、結露しやすい材質を用いてもよい。
【産業上の利用可能性】
【０００９】  この考案により、菌類の培養工程・野菜の保管室・結露を嫌う産業機器・人の生活空間などで最適湿度の設定が必要としている分野に貢献が期待できる。【００１０】  この考案により、空気中の湿度を調整したり、水を溜めたり、水を気化させたりが、この装置により出来ることにより、新たな分野での貢献と応用が期待できる。
【図面の簡単な説明】
【００１１】
【図１】この考案の一実施形態を示す斜視図である。
【図２】この考案の一実施形態を示すブロック回路図である。
【符号の説明】
【００１２】１    容器２    金属板３    加熱・冷却装置４    補給タンク５    湿度計６    電源スイッチ７    放熱穴８    水 
【図１】
0003101385.tif 000003
【図２】
0003101385.tif 000004
(57)【要約】      （修正有）【課題】手の不自由な中、軽度身体障害者が、直接的介助を受けることなく、用便紙を取り出せる。【解決手段】壁に取り付けた箱１の上面にテッシュペーパーボックス６を挿入するための開口を下面に用便用紙取り出しのためのスリット３を設け、片側側面下方に押し出し穴４を、他の側面下方に使用済みのボックス取り出し口を設ける。予め介助者がミシン目付カバーを取り去り、数枚の用紙を除去して紙端７を引き出したテイッシュペーパーボックス６をそのスリットを下向きにして開口より挿入しておくと、利用者はスリット３から容易に用紙を取り出すことができる。又用紙が終了した時は押し出し穴４より指でボックス６を押せば取り出し口５より容易に使用済ボックスを取り去ることが出来るとともに、上方より自重により予備のボックスが下方位置に移動し、次の使用に供することができる。【選択図】図１
0003101390.tif 000002
【実用新案登録請求の範囲】
【請求項１】
上面に開口を、下面にスリットを設け、片側面に押し出し孔を、反対側面に取り出し口を設けたことを特徴とするティッシュペーパーボックス収納箱。
【考案の詳細な説明】
【技術分野】
【０００１】この考案は便所内の壁に設置する身体障害者用の用便用紙のティッシュペーパーボックス収納箱に関するものである。
【背景技術】
【０００２】従来の１の方法は、用便用巻紙を専用巻紙取出し器具にセットし、巻紙端を引き出して適当な長さでちぎって使用していた。【０００３】従来２の方法は、用便用紙を上面にスリットを設けた箱の中に折り畳んで収納し、スリットより紙の端を引っ張って１枚づつ取り出すティッシュ（介護者も片手をふさがれる事が多く、ロール紙が特に不自由だった）ペーパーボックス方式である。
【考案の開示】
【考案が解決しようとする課題】
【０００４】従来の１の方法は微妙な手さばきが必要で、健常者にとっては容易なことであるが、身体障害者の場合は、手元でちぎれたり、必要な場所で切れない等の困難がともなう。【０００５】従来２の方法も、微妙な手さばきが必要で、身体障害者にとっては、使用始めの数枚は先端でちぎれて取り出せないし、残りが少なくなると、先端部がボックスの中に落ち込んでしまって取り出せない。【０００６】この考案の目的は、身体障害者が介助者の助けを借りることなく、自力で用便用紙を取り出すことが出来るティッシュペーパーボックスの収納箱を提供することである。
【課題を解決するための手段】
【０００７】この考案は壁に取り付けた箱の上面に開口を、下面にスリットを設け、片側面下方に押し出し孔を、他の側面下方に使用済みボックスの取出し口を設けたものである。
【作用】
【０００８】水溶性の紙を入れたティッシュペーパーボックスのミシン目付スリットカバーを取り去り、次から容易に取り出せるように、数枚の紙を除去して紙端をスリットから出した状態のものを、複数個下方に、上面の開口部より収納箱に挿入しておけば、身体障害者は自力でスリットより紙を取り出すことが出来る。又ボックス内の紙がなくなっても、押出し孔に指を入れて空のボックスを押し、反対側の取り出し口に一部が突出した使用済ボックスを引き出せば、自動的に次のボックスが補充されて、引き続きしようが可能となる。
【実施例】
【０００９】図１および図２に基ずいて説明する。
使用紙箱１は、便座横の壁にネジ釘またはフック８等により取付けた予備ボックス２個用を例と示す。【００１０】上面開口２は、使用するティッシュペーパーボックス６の縦横寸法より若干大きい寸法の開口である。用便紙７の取出し口であるスリット３は、ティッシュペーパーボックス６のスリットとほぼ同じ形状である。
押出し孔４は、径約３ｃｍの穴である。取出し口５の横幅は用便用紙１の内法に等しく、高さは使用するティッシュペーパーボックス６の高さは９ｃｍにしておくと全ての箱が網羅でき便利である。【００１１】上面開口２には、塵除けのための上蓋（図示せす）を取付ける。
【図面の簡単な説明】
【００１２】
【図１】この考案の実施例の左下方よりの斜視図
【図２】この考案の実施例の右上方よりの斜視図
【符号の説明】
【００１３】１．  身体障害者用用便紙箱
２．  上面開口
３．  下面スリット
４．  押出し孔
５．  取出し口
６．  ティッシュペーパーボックス
７．  用便用紙
８．  ネジ釘又はフック
【図１】
0003101390.tif 000003
【図２】
0003101390.tif 000004